(57)【特許請求の範囲】
【請求項１】
吊りボルト等の雄螺子部材に狭着可能な狭着部と、
前記狭着部の一方を延設して備えた第１の支持片と、
前記狭着部の他方を延設して備えた第２の支持片とを備え、
前記第１の支持片に備えた係止部を前記第２の支持片に備えた係止受部に係止して、前記狭着部を前記雄螺子部材に緊締し、
前記係止部を前記係止受部に係止した状態で、
前記第１の支持片と第２の支持片との間に隙間が形成され、
前記隙間に挿通された第１の連結部材の一方に備えた抜け止め部が前記第１の支持片及び前記第２の支持片の上部に支持され、
前記第１の支持片及び前記第２の支持片の下部を外側に折り曲げた保護部を備え、
前記第１の支持片及び／又は前記第２の支持片の先端側に第２の連結部材の一方が取り付け可能な取付部を備え、
前記第１の連結部材及び前記第２の連結部材の他方に、各種機器や天井下地材等を連結することを特徴とする落下防止金具。
【請求項２】
前記雄螺子部材を、天井下地材用の吊りボルトや建築設備用の吊りボルト等とし、前記落下防止金具は前記雄螺子部材に螺着されたナットの上部に取り付けられることを特徴とする請求項１記載の落下防止金具。
【請求項３】
前記雄螺子部材を、天井スラブに埋設されたインサート金物に螺着されたボルトとしたことを特徴とする請求項１記載の落下防止金具。
【請求項４】
前記狭着部に、前記雄螺子部材の長手方向に沿って複数の貫通孔を備えたことを特徴とする請求項１〜３のいずれか１項に記載の落下防止金具。
【請求項５】
前記狭着部の内側面に、前記雄螺子部材に螺合可能な螺子溝を備えたことを特徴とする請求項１〜４のいずれか１項に記載の落下防止金具。
【請求項６】
前記第１の支持片と前記第２の支持片とを連結して、前記係止部が前記係止受部に係止した状態で保持する保持手段を備え、
前記保持手段に第３の連結部材の一方を取り付けて、
前記第３の連結部材の他方に各種機器を連結したことを特徴とする請求項１〜５のいずれか１項に記載の落下防止金具。
【発明の詳細な説明】
【技術分野】
【０００１】
本発明は、建築用天井材や、照明器具、スピーカー、制気口等の各種設備が地震等の非常時に落下することを防止する為の、ワイヤー等を使用した落下防止金具に関する。
【背景技術】
【０００２】
従来、建築用天井材や照明器具、スピーカー等は吊りボルトで本体を吊り、振れ止め等は考えられているが、地震時などの落下に関してはあまり考慮されていない。又、振れ止め等は落下防止に使用する場合、一方向しか落下防止として使用出来ず、複数の落下防止としては使用出来ない。又、ボルト、ナット等の取り付け作業などがあり、単価的にも高くなる。
【０００３】
従来は天井スラブより、インサート２２や後打ちアンカー等にワイヤー付ボルト２３をねじ込み照明器具１６やスピーカー等を落下防止用として図３０のように使用していたが、取り付け方法が難しくあまり普及されていなかった（特許文献１）。
【０００４】
従来の全ネジボルト専用の支持金具を兼用する事があるが、本体の穴にボルト、ナットを通し、ボルトにワイヤーを巻き付ける為、一方向のみの落下防止として取り付ける場合は良いが、複数本、落下防止ワイヤーを取り付けた場合、全ネジボルト専用の支持金具は回転しない為、ワイヤーを傷付ける事があり、係合には特殊な金具が必要となる。
【先行技術文献】
【特許文献】
【０００５】
【特許文献１】特開平０７−２４０１０９号公報
【発明の概要】
【発明が解決しようとする課題】
【０００６】
従来のワイヤー付ボルトを使用する施工方法では、落下物一つにつき、金具が一つ必要となり、数量が少なく軽いものなどは良いが、天井材や照明器具などの重量の重いものや、数が多いものはインサートや後打ちアンカーの位置が正確でないと、ワイヤーの長さが異なり重量の配分が均等にならず、施工が困難になり、落下防止に対する信頼度も低い。
【０００７】
そこで本発明は上述の課題を解決すべく創出されたもので、吊りボルトを用いたどのような施工においても、ワイヤーロープを落下防止ワイヤーとして連結することができ、しかも特殊な連結金具をワイヤーロープに備えることなく、一般のワイヤーロープをＴ字型カシメ金具や、Ｗ圧着金具で連結する事が出来る落下防止金具の提供を目的とするものである。
【課題を解決するための手段】
【０００８】
請求項１の発明は、吊りボルト等の雄螺子部材に狭着可能な狭着部と、前記狭着部の一方を延設して備えた第１の支持片と、前記狭着部の他方を延設して備えた第２の支持片とを備え、前記第１の支持片に備えた係止部を前記第２の支持片に備えた係止受部に係止して、前記狭着部を前記雄螺子部材に緊締し、前記係止部を前記係止受部に係止した状態で、前記第１の支持片と第２の支持片との間に隙間が形成され、前記隙間に挿通された第１の連結部材の一方に備えた抜け止め部が前記第１の支持片及び前記第２の支持片の上部に支持され、前記第１の支持片及び前記第２の支持片の下部を外側に折り曲げた保護部を備え、前記第１の支持片及び／又は前記第２の支持片の先端側に第２の連結部材の一方が取り付け可能な取付部を備え、前記第１の連結部材及び前記第２の連結部材の他方に、各種機器や天井下地材等を連結することを特徴とする。
【０００９】
請求項２の発明は、前記雄螺子部材を、天井下地材用の吊りボルトや建築設備用の吊りボルト等とし、前記落下防止金具は前記雄螺子部材に螺着されたナットの上部に取り付けられることを特徴とする。
【００１０】
請求項３の発明は、前記雄螺子部材を、天井スラブに埋設されたインサート金物に螺着されたボルトとしたことを特徴とする。
【００１１】
請求項４の発明は、前記狭着部に、前記雄螺子部材の長手方向に沿って複数の貫通孔を備えたことを特徴とする。
【００１２】
請求項５の発明は、前記狭着部の内側面に、前記雄螺子部材に螺合可能な螺子溝を備えたことを特徴とする。
【００１３】
請求項６の発明は、前記第１の支持片と前記第２の支持片とを連結して、前記係止部が前記係止受部に係止した状態で保持する保持手段を備え、前記保持手段に第３の連結部材の一方を取り付けて、前記第３の連結部材の他方に各種機器を連結したことを特徴とする。
【発明の効果】
【００１４】
請求項１の発明によれば、係止部を係止受部に係止して狭着部を雄螺子部材に緊締することで、ボルトやナットを必要としないで落下防止金具を雄螺子部材に取り付けることができる。また、連結部材保護部を備えたことで、第１の支持片と第２の支持片の隙間に取り付けられた第１の連結部材が第１の支持片と第２の支持片の下部によって磨耗して傷付くことを防ぐことができる。さらに、落下防止金具に、第１の連結部材と第２の連結部材を取り付けることで、複数の各種機器や天井下地材等の落下を防止することができる。
【００１５】
請求項２の発明によれば、既設の天井下地材用の吊りボルトや建築設備用の吊りボルトに落下防止金具を容易に設置することができる。
【００１６】
請求項３の発明によれば、天井スラブの任意の位置に落下防止金具を設置することができる。
【００１７】
請求項４の発明によれば、狭着部が雄螺子部材の形状に沿って容易に変形することで、狭着部の屈曲作業が促進され、作業性の向上を図ることができる。
【００１８】
請求項５の発明によれば、狭着部の内側面が雄螺子部材に螺合するので、雄螺子部材に狭着された狭着部が雄螺子部材の長手方向に沿って滑ることを防ぎ、落下防止金具の設置が安定する。
【００１９】
請求項６の発明によれば、保持手段によって、係止部と係止受部との係止状態が保持されるので、狭着部の雄螺子部材への緊締が安定し、落下防止金具の設置がさらに安定する。保持手段に第３の連結部材を取り付けることで、第１の連結部材及び第２の連結部材とともに複数の各種機器や天井下地材等の落下を防止することができる。
【図面の簡単な説明】
【００２０】
【図１】本発明の第１実施例における吊りボルト用の落下防止金具の斜視図である。
【図２】同上、狭着部を吊りボルトに固定する状態を示す吊りボルト用の落下防止金具の平面図である。
【図３】同上、吊りボルト用の落下防止金具の使用状態を示す斜視図である。
【図４】同上、複数の天井設備の落下を防止する吊りボルト用の落下防止金具の使用状態を示す斜視図である。
【図５】同上、吊りボルト用の落下防止金具の図３とは異なる使用状態を示す斜視図である。
【図６】同上、野縁取付金具の斜視図である。
【図７】同上、野縁取付金具に第１の野縁部材を取り付けた状態を示す断面図である。
【図８】同上、野縁取付金具に第２の野縁部材を取り付けた状態を示す断面図である。
【図９】本発明の第２実施例における吊りボルト用の落下防止金具の断面図である。
【図１０】本発明の第３実施例における天井構造の断面図である。
【図１１】同上、天井構造の斜視図である。
【図１２】同上、落下防止金具の使用状態を示す斜視図である。
【図１３】本発明の第４実施例における天井構造の斜視図である。
【図１４】同上、天井構造の平面図である。
【図１５】同上、図１４におけるＡ−Ａ線断面図である。
【図１６】同上、図１４におけるＢ−Ｂ線断面図である。
【図１７】同上、接続部分用取付具の斜視図である。
【図１８】同上、接続部分用取付具の平面図である。
【図１９】同上、接続部分用取付具の正面図である。
【図２０】同上、接続部分用取付具の側面図である。
【図２１】同上、所定の正方形組と隣接する別の正方形組に他の機器が設置された状態を示す天井構造の平面図である。
【図２２】同上、第１の固定用螺子孔に、第１の螺子部材を螺合させて、一方の固定部を天井下地材に固定した状態を示す要部断面図である。
【図２３】同上、第３の固定用螺子孔に、第３の螺子部材を螺合させて、他方の固定部を天井下地材に固定した状態を示す要部断面図である。
【図２４】本発明の第５実施例における落下防止金具の断面図である。
【図２５】同上、落下防止金具の側面図である。
【図２６】同上、落下防止金具にボルトを装着した状態を示す側面図である。
【図２７】同上、落下防止金具のボルトに連結部材を連結した状態を示す側面図である。
【図２８】同上、落下防止金具の斜視図である。
【図２９】本発明の第６実施例における落下防止金具の断面図である。
【図３０】従来の連結ワイヤーの装着例を示す正面図である。
【発明を実施するための形態】
【００２１】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００２２】
図１〜図８は本発明の第１実施例を示すものであり、本実施例の吊りボルト用の落下防止金具は、連結部材１３を照明器具１６、スピーカー１７、制気口等の天井設備に連結して落下防止等として使用する際に、この連結部材１３を吊りボルト１９に連結する金具である。
【００２３】
この落下防止金具の基本構成は、鋼板を略Ｃ型に折り曲げ、狭着部１８とＡ支持片１とＢ支持片３とが一体に形成されている。（図１参照）
また、この狭着部１８において吊りボルト１９の長手方向に沿った側面に、丸孔１０を複数個開穿している。この丸孔１０は狭着部１８を略Ｃ型に屈曲して吊りボルト１９の側面に装着する際に、狭着部１８の屈曲作業を容易にすることができる。
【００２４】
連結部材１３は、ワイヤーロープからなる連結部材本体１３Ａの一端に環状部１４を備えるとともに、連結部材本体13Ａの他端に抜け止め部材１５又は環状部１３Ｂを備えたものである。
【００２５】
抜け止め部材１５は、少なくとも連結部材本体１３Ａより大径な円盤状の金具である。
【００２６】
たとえば１．６ｍｍ厚程度の鋼板を吊りボルト用の落下防止金具として使用した場合に、図２のごとく、左右一対の複数個の丸孔１０を開穿する事で、工具を使わずとも手指でも容易に狭着部１８を屈曲することが可能となり、又、強度を保つ事ができる。
【００２７】
狭着部１８を吊りボルト１９に圧着する事により、吊りボルト１９と狭着部１８が締め付けられガタツキが少なくなる。
【００２８】
吊りボルト用の落下防止金具では、一方に凸部としての突起物２を備えたＡ支持片１と、他方に穴部としての引っ掛け穴４を備えたＢ支持片３はこの狭着部１８の両端から延長された帯板状の部材からなり、両支持片１、３を挟み込む事により、折れ曲がった突起物２が引っ掛け穴４に嵌合して、折れ曲がった突起物２が引っ掛け穴４に引っ掛かる事によりＡ支持片１とＢ支持片３とを緊締すると、吊りボルト１９が狭着部１８内で締め付けられた状態となり、吊りボルト１９に吊りボルト用の落下防止金具が装着される。
【００２９】
ここで突起物２は、Ａ支持片１の先端側の内側に略Ｌ型に折り曲げて突設されている。
【００３０】
引っ掛け穴４は、Ｂ支持片３の先端側に突起物２が挿通されて係止可能な略Ｌ型の切溝状に形成されている。
【００３１】
突起物２は、引っ掛け穴４に挿通されると、突起物２の傾倒して形成された先端部分２Ａが引っ掛け穴４の縁部分に係止される。
【００３２】
以上のように本実施例の吊りボルト用の落下防止金具の特徴的構成としては、吊りボルト１９の側面に狭着する狭着部１８と、この狭着部１８から延長される一方が凸部を備えたＡ支持片１と、他方が穴部を備えたＢ支持片３で構成されている。
【００３３】
また、ワイヤー引掛け部５と外れ防止突起部６ならびにワイヤー差し込み部８を設けた事にある。
【００３４】
さらに、Ａ支持片１とＢ支持片３の同じ穴の位置にワイヤー係合用穴９とワイヤー係合用溝２４を設けた事にある。
【００３５】
また、ワイヤー保護用折り曲げ部７を設けた事にある。
【００３６】
さらに、狭着部１８における吊りボルト１９の長手方向に沿った側面に、狭着部１８の屈曲作業を促進せしめ、強度を保つ為、丸孔10を複数個開穿した事を課題解決の為の手段とする。
【００３７】
本実施例の天井構造の一例を示すと、上階床スラブとしてのコンクリート２１と、コンクリート２１に埋設されたインサートナット（図示せず）に螺着され、コンクリート２１から垂設された吊りボルト１９と、吊りボルト１９に複数のナット３０,３１に狭着されて取り付けられたハンガー１１と、ハンガー１１に取り付けられた断面略Ｃ形状の形鋼からなる天井下地材としての野縁受部材１２と、野縁受部材１２の下部に取付金具３２を介して取り付けられた断面略Ｃ形状の形鋼からなる天井下地材としての野縁部材３３,３４と、野縁部材３３,３４の下部に取り付けられた石膏ボード、コンパネ等の天井パネルからなる天井材２０とを備えている。
【００３８】
ハンガー１１は、鋼板を略Ｓ型に折り曲げ形成したもので、水平に形成され中央に吊りボルト１９が挿通可能な貫通部（図示せず）を備えたボルト取付部３５と、ボルト取付部３５の一方を垂直下向きに延設した後、フック状に形成されて野縁受部材１２を保持可能な野縁受保持部３６とを備えている。
【００３９】
野縁部材３３,３４には、長手方向（図中、Ｘ方向）と水平方向に直交する方向である短手方向（図中、Ｙ方向）の幅Ｈ１,Ｈ２の異なる２種類の野縁部材があり、幅を大きく設定された幅広な第１の野縁部材３３と、幅を小さく設定された幅狭な第２の野縁部材３４がある。ここで、第１の野縁部材３３の幅Ｈ１は、第２の野縁部材３４の幅Ｈ２の約２倍の大きさに設定されている。
【００４０】
野縁取付金具３７は、方形状に形成されたステンレス鋼、アルミニウム等の金属製の薄板からなる金具本体３８の下部には、第１の野縁部材３３の第１の野縁側溝部３９の断面略Ｊ型に折り返して形成された第１の野縁側縁部４０と係合可能な第１の野縁取付部４１と、第２の野縁部材３４の第２の野縁側溝部４２の断面略Ｊ型に折り返して形成された第２の野縁側縁部４３と係合可能な第２の野縁取付部４４と、金具本体３８の中央部分に備えたナットからなる雌螺子部４５とを備えている。ここで雌螺子部４５は、ナット以外にも金具本体３８に形成された貫通部３８Ａに螺子溝を螺刻したものでもよい。
【００４１】
第１の野縁取付部４１は、金具本体３８の対向する一対の両端部４６,４６より略平行に下向きに立ち上げられ、第１の野縁部材３３の第１の野縁側溝部３９に挿入可能な一対の第１の立ち上げ部と、各第１の立ち上げ部の先端を互いの距離が離れるよう外側に折り曲げて断面略Ｊ型に形成し、第１の野縁側縁部４０の内面に長手方向（図中、Ｘ方向）に沿って係合可能に設けられ、第１の野縁部材３３を第１の野縁側溝部３９に沿ってスライド自在に保持する第１の係止部が設けられている。
【００４２】
第２の野縁取付部４４には、金具本体３８の第１の立ち上げ部４７,４７間に第１の立ち上げ部４７と略平行に下向きに立ち上げられ、且つ第１の立ち上げ部４７,４７間の間隔Ｍ１より幅狭な間隔Ｍ２に形成され、第２の野縁側溝部４２に挿入可能な一対の第２の立ち上げ部４９,４９と、各第２の立ち上げ部４９,４９の先端を互いの距離が離れるよう外側に折り曲げて、第２の野縁側縁部４３の内面に長手方向（図中、Ｘ方向）に沿って係合可能に設けられ、第２の野縁部材３４を第２の野縁側溝部４２に沿ってスライド自在に保持する第２の係止部５０が設けられている。
【００４３】
ここで、各第１の立ち上げ部４７,４７は、金具本体３８側の基端から第１の係止部４８側の先端にかけて、互い距離が近付くように傾斜して形成されており、第２の立ち上げ部４９,４９についても同様に金具本体３８側の基端から第２の係止部５０,５０側の先端にかけて、互いの距離が近付くように傾斜して形成されている。
【００４４】
吊りボルト用の落下防止金具や野縁受部材１２等と、野縁取付金具３７とを連結する野縁用連結部材５１は、ワイヤーロープからなる連結部材本体５２と、連結部材本体５２の一端に備え雌螺子部４５に螺着可能なボルトからなる雄螺子部５３と、連結部材本体５２の他端に備えた環状部５４とを備えている。
【００４５】
以上の構成により、吊りボルト用の落下防止金具は天井の吊りボルト１９に挟み込む事により緊締でき、吊りボルト用の落下防止金具に連結された複数の連結部材１３及び野縁用連結部材５１を介して複数の器具等の落下防止が可能となった。
【００４６】
また、吊りボルト１９に取り付けられた、吊りボルト用の落下防止金具において、Ａ支持片１とＢ支持片３の略中央部分を略半円弧状に折り曲げて形成した各ワイヤー差し込み部８、８は、Ａ支持片１とＢ支持片３とを緊締した場合に、互いの凹状の円弧面を対向させて、連結部材１３が挿通可能な円弧部８Ａが形成されるので、ワイヤー差し込み部８からなる円弧部８Ａに連結部材１３を差し込み、Ａ支持片１とＢ支持片３の上部を凹状に切り欠いて形成したワイヤー引掛け部５に持って行く。Ａ支持片１とＢ支持片３の上部からワイヤー引掛け部５の平面部５Ａと抜け止め部材１５の厚さ寸法以上の間隔を有して略並行に突設した外れ防止突起物６があり、抜け止め部材１５がワイヤー引掛け部５と外れ防止突起物６とによって上下方向から挟持されて、連結部材１３がワイヤー引掛け部５から外れにくくなっている。又、ワイヤー引掛け部５を抜け止め部材１５の直径の２倍以上長く形成する事により、ワイヤー引掛け部５に連結部材１３を複数個取り付ける事が可能である。
【００４７】
各支持片１、３の先端に貫通して備えたワイヤー係合用穴９がある事により、連結部材１３や野縁用連結部材５１を係合する事が出来る。ここで各支持片１、３には、先端側の上部からワイヤー係合用穴９まで連続して切り欠いて形成された切溝状のワイヤー係合用溝２４を備えており、連結部材１３の環状部１４や野縁用連結部材５１の環状部５４をワイヤー係合用溝２４からワイヤー係合用穴９に係合する。
【００４８】
Ａ支持片１及びＢ支持片３の下部を、互いに離れるように外向きに略円弧状に折り曲げ形成したワイヤー保護用折り曲げ部７を設けた事により、ワイヤー保護用折り曲げ部７の凸状の円弧面によって連結部材１３が傷付きにくくなる。
【００４９】
そして、狭着部１８において吊りボルト１９の長手方向に沿った側面に、丸孔１０を複数個開穿している。この丸孔１０は狭着部１８を屈曲して吊りボルト１９の側面に装着する際に、狭着部１８の屈曲作業を容易にする事ができる。たとえば、１．６ｍｍ厚程度の鋼板を金具として使用した場合に、図示のごとく、左右一対の複数個の丸孔１０を開穿する事で、手指でも容易に屈曲することが可能となり、又、強度を保つ事が出来る。
【００５０】
天井では、ボルト取付部３５の貫通部（図示せず）に吊りボルト１９を挿通して、吊りボルト１９に螺着された第１のナット３０と第２のナット３１によってボルト取付部３５を狭着して、ハンガー１１を吊りボルト１９に取り付けて、ハンガー１１の野縁受保持部３６に野縁受部材１２を保持させる。さらに、周知の取付金具３２を介して第１の野縁部材３３又は第２の野縁部材３４と野縁受部材１２とを互いに直交させて一体化された格子体５５を組み立てて、第１の野縁部材３３又は第２の野縁部材３４の下面部には天井材２０が取り付けられる。
【００５１】
野縁取付金具３７を第１の野縁部材３３に取り付ける場合は、第１の立ち上げ部４７を第１の野縁部材３３の第１の野縁側溝部３９に挿入して、第１の係止部４８を第１の野縁側縁部４０の内面に第１の野縁部材３３の長手方向（図中、Ｘ方向）に沿って係合させて、第１の野縁部材３３を第１の野縁側溝部３９に沿ってスライド自在に保持する。
【００５２】
また、野縁取付金具３７を第２の野縁部材３４に取り付ける場合は、第２の立ち上げ部４９を第２の野縁部材３４の第２の野縁側溝部４２に挿入して、第２の係止部５０を第２の野縁側縁部４３の内面に第２の野縁部材３４の長手方向（図中、Ｘ方向）に沿って係合させて、第２の野縁部材３４を第２の野縁側溝部４２に沿ってスライド自在に保持する。
【００５３】
そして、第１の野縁部材３３又は第２の野縁部材３４に取り付けられた野縁取付金具３７の雌螺子部４５に、環状部５４がワイヤー係合用穴９や野縁受部材１２等にくくり付けられて係止された野縁用連結部材５１の雄螺子部５３を螺着して、野縁取付金具３７を介して各野縁部材３３,３４と吊りボルト用の落下防止金具や野縁受部材１２等とを連結している。これによって、地震等の揺れによってハンガー１１や取付金具３２が破損して、格子体５５ごと天井材２０が天井から離脱したり、野縁部材３３,３４が野縁受部材１２から離脱しても、天井材２０の落下を防止することができる。
【００５４】
このように本発明によると、吊りボルト１９を用いたどのような施工においても、ワイヤーロープを落下防止の斜材として連結する事ができ、しかも、特殊な連結金具をワイヤーロープに備えることなく、一般のワイヤーロープを通常の作業で連結する事ができる等といった有益な効果を奏するものである。
【００５５】
以上のように本実施例では請求項１に対応しており、吊りボルト等の雄螺子部材１９に狭着可能な狭着部１８と、前記狭着部１８の一方を延設して備えた第１の支持片としてのＡ支持片１と、前記狭着部１８の他方を延設して備えた第２の支持片としてのＢ支持片３とを備え、前記Ａ支持片１に備えた係止部としての突起部２を前記Ｂ支持片３に備えた係止受部としての引っ掛け穴４に係止して、前記狭着部１８を吊りボルト１９に緊締し、突起部２を引っ掛け穴４に係止した状態で、Ａ支持片１とＢ支持片３との間に隙間としての円弧部８Ａが形成され、円弧部８Ａに挿通された第１の連結部材１３の一方に備えた抜け止め部としての抜け止め部材１５がＡ支持片１及びＢ支持片３の上部に支持され、Ａ支持片１及びＢ支持片３の下部を外側に折り曲げた保護部としてのワイヤー保護用折り曲げ部７を備え、Ａ支持片１及び／又はＢ支持片３の先端側に第２の連結部材１３の一方が取り付け可能な取付部としてのワイヤー係合用穴９を備え、前記第１の連結部材１３及び前記第２の連結部材１３の他方に、各種機器１６,１７や天井下地材としての野縁受部材１２及び野縁部材３３,３４等を連結している。
【００５６】
この場合、突起部２を引っ掛け穴４に係止して狭着部１８を吊りボルト１９に緊締することで、ボルトやナットを必要としないで落下防止金具を吊りボルト１９に取り付けることができる。また、ワイヤー保護用折り曲げ部７を備えたことで、Ａ支持片１とＢ支持片３の円弧部８Ａに取り付けられた第１の連結部材１３がＡ支持片１とＢ支持片３の下部によって磨耗して傷付くことを防ぐことができる。さらに、落下防止金具に、第１の連結部材１３と第２の連結部材１３を取り付けることで、複数の各種機器や天井下地材等の落下を防止することができる。
【００５７】
また本実施例は請求項２に対応しており、前記雄螺子部材を、天井下地材用の吊りボルト１９や建築設備用の吊りボルト１９等とし、前記落下防止金具は吊りボルト１９に螺着されたナット３０の上部に取り付けられることにより、既設の天井下地材用の吊りボルト１９や建築設備用の吊りボルト１９に落下防止金具を容易に設置することができる。
【００５８】
さらに本実施例は請求項４に対応しており、前記狭着部１８に、吊りボルト１９の長手方向に沿って複数の貫通孔である丸孔１０を備えたことにより、狭着部１８が吊りボルト１９の形状に沿って容易に変形することで、狭着部１８の屈曲作業が促進され、作業性の向上を図ることができる。
【実施例２】
【００５９】
次に図９は、本発明の第２実施例を示すものである。同図において、図１〜図８と同一部分には同一符号を付し、その共通する部分の詳細な説明は省略する。本実施例では、連結部材１３を介して天井の制気口５６と吊りボルト用の落下防止金具とを連結している。
【００６０】
制気口５６は、天井に配管されたダクト５７に上部を接続され、下部を天井材２０に形成された取付穴５８に設置され、ダクト５７からの空気を多層に備えたコーン（図示せず）を経由して室内に拡散して案内するアネモ型吹出口とするが、本実施例はアネモ型以外の吹出口からなる制気口、天井扇、エアコン等の各種空調器具についても適用可能である。
【００６１】
以上のように、地震等の揺れによって、制気口５６がダクト５７から離脱しても、連結部材１３を介して制気口５６が吊りボルト１９に吊り下げられるので、制気口５６の落下を防止することができる。
【実施例３】
【００６２】
続いて図１０〜図１２は、本発明の第３実施例を示すものである。同図において、図１〜図９と同一部分には同一符号を付し、その共通する部分の詳細な説明は省略する。本実施例の天井構造は、図１０に示すように上階床スラブであるコンクリート２１から垂設された吊りボルト１９と、この吊りボルト１９に装着されたハンガー５９と、ハンガー５９に把持されて天井裏で正方形の格子状に組み付けられた天井下地材６０を備えている。
【００６３】
ここで、天井下地材６０は例えば約６００ｍｍピッチの格子状に配列されており、格子状に組み付けられた天井下地材６０で構成される略正方形状のブロック（区画）（以下、正方形組６１と呼称する）には、天井材６２や設備プレート６３が設置される。
【００６４】
天井下地材６０は、スチール製の板材を折り曲げした加工物やアルミニウム製の押出形材等を断面略逆Ｔ字形状としたＴバー等からなり、上下方向（図中、Ｘ方向）に延設された縦片部６４と、縦片部６４の下部から水平方向（図中、Ｙ方向）に延設されたフランジ状の横片部６５とを備えている。
【００６５】
縦片部６４の上端には二股状に上方に平行に延設された一対の上側突条６６，６６が上方で連結して形成された頭部６７を備えており、この頭部６７はハンガー５９に把持可能に形成されたものである。また、横片部６５の幅方向（図中、Ｙ方向）両端には、下方に延設された下側突条６８が形成されており、これら上側突条６６及び下側突条６８は補強リブの役目に果しており、天井下地材６０の強度を向上させるものである。
【００６６】
天井材６２は、例えば、有底角筒状で天井板の側面及び下面を被覆するパンチングメタル等の板材からなる表面材（図示せず）と、この表面材に収容されるグラスウール等の断熱材（図示せず）と、この断熱材の上面を被覆する蓋部材（図示せず）と、表面材の外周部分を外向きに延設した係止部６９を備えた、その平面形状を正方形組６１と略同一としたパネル部材である。尚、天井材６２としては、岩綿系材料又は石膏系材料等で係止部６９を有する形状に一体成形したものでもよい。
【００６７】
設備プレート６３は、アルミニウムやスチール等の板材にて形成され、対向する一対の両辺を断面略コ字型に折り曲げて凸部７０を一体的に形成し、その平面形状を正方形組６１と略同一に形成された板部材である。
【００６８】
本実施例では、吊りボルト１９に取り付けられた吊りボルト用の落下防止金具と、天井下地材６０に取り付けられた下地材側取付具７１と、吊りボルト用の落下防止金具と下地材側取付具７１とを連結する連結部材１３とを備えている。
【００６９】
下地材側取付具７１は、上部に環状部７２を備え、下部にはこの取付具本体７３と別体の押え片７４とをボルト・ナット等の締結手段７５による締め付けにより天井下地材６０の頭部６７を把持可能とする把持部７６を備えた構成をしており、環状部７２と把持部７６の中間には杆部材（図示せず）が挿通可能な貫通部７７を備えている。
【００７０】
次に、上記構成の下地材側取付具７１の取付方法について説明すると、下部の把持部７６を天井下地材６０の頭部６７に把持させると下地材側取付具７１の取り付けが完了する。
【００７１】
続いて、吊りボルト用の落下防止金具と下地材側取付具７１の連結方法について説明すると、下地材側取付具７１の環状部７２に連結部材１３の環状部１４を挿通して、連結部材１３の一方を下地材側取付具７１の環状部７２に括りつけて固定するとともに、吊りボルト用の落下防止金具に抜け止め部材１５或いは環状部１３Ｂを係止すると、吊りボルト用の落下防止金具と下地材側取付具７１の連結が完了する。
【００７２】
そして、吊りボルト１９にハンガー５９を介して吊下げ保持されている天井下地材６０が、地震などの揺れによって、ハンガー５９から離脱した際も、連結部材１３による吊りボルト用の落下防止金具と下地材側取付具７１の連結により、天井下地材６０は吊りボルト１９に吊り下げ保持されることとなり、天井下地材６０の落下を防止することができる。
【００７３】
さらに、連結部材１３を柔軟なワイヤーロープとすることで、施工の自由度も向上するとともに、連結方法も連結部材１３の一方の環状部１４を下地材側取付具７１の環状部７２に括りつけて固定し、連結部材１３の他方の抜け止め部１５或いは環状部１３Ｂを吊りボルト用の落下防止金具に係止するという簡単な作業により、吊りボルト用の落下防止金具と下地材側取付具７１を連結することができる。
【実施例４】
【００７４】
続いて図１３〜図２３は、本発明の第４実施例を示すものである。同図において、図１〜図１２と同一部分には同一符号を付し、その共通する部分の詳細な説明は省略する。本実施例の天井構造は、前記正方形組６１において、所定方向であるＹ方向と平行に配置された天井下地材６０（以下、一方の天井下地材６０Ａという）と、Ｙ方向と水平方向において直交するＺ方向と平行に配置された天井下地材６０（以下、他方の天井下地材６０Ｂという）とを直交させて組み付けた接続部分Ｊ付近に取り付けられる接続部分側取付具７８を備えている。
【００７５】
前記接続部分側取付具７８は、前記一方の天井下地材６０Ａ及び前記他方の天井下地材６０Ｂのいずれか一方に固定された一方の固定部７９と、前記一方の天井下地材６０Ａ及び前記他方の天井下地材６０Ｂのいずれか他方に固定された他方の固定部８０と、前記天井材６２に上方から対向可能な押さえ部８１とを備えている。
【００７６】
前記一方の固定部７９は、前記正方形組６１の前記接続部分Ｊに隣接する前記一方の天井下地材６０Ａ及び前記他方の天井下地材６０Ｂのいずれか一方に係止自在に形成された一方の係止部８２を備えている。
【００７７】
前記一方の係止部８２は、アルミニウムやスチール等の板材からなる接続部分側取付具本体８３の一端を上向きに折り曲げて形成された一方の内側面部８４と、前記一方の内側面部８４の上端を水平方向に折り曲げて形成された一方の天面部８５と、前記一方の天面部８５の外側端を下向きに折り曲げて形成された一方の外側面部８６とを備えた、上向き凸状に折り曲げ形成されたものである。
【００７８】
前記他方の固定部８０は、一方の天井下地材６０Ａ及び前記他方の天井下地材６０Ｂのいずれか一方と接続部分Ｊを挟んで隣接する前記一方の天井下地材６０Ａ及び他方の天井下地材６０Ｂのいずれか他方に係止自在に形成された他方の係止部８７を備えている。
【００７９】
前記他方の係止部８７は、接続部分側取付具本体８３の他端を上向きに折り曲げて形成された他方の内側面部８８と、前記他方の内側面部８８の上端を水平方向に折り曲げて形成された他方の天面部８９と、前記他方の天面部８９の外側端を下向きに折り曲げて形成された他方の外側面部９０とを備えた、上向き凸状に折り曲げ形成されたものである。
【００８０】
ここで、一方の係止部８２及び他方の係止部８７は、一方の天井下地材６０Ａ及び他方の天井下地材６０Ｂにそれぞれ係止された状態で、一方の内側面部８４及び他方の内側面部８８、一方の外側面部８６及び他方の外側面部９０、一方の天面部８５及び他方の天面部８９が、それぞれ天井下地材６０の一対の上側突条６６，６６、頭部６７に対向可能に形成されている。
【００８１】
また、一方の係止部８２の一方の内側面部８４及び一方の外側面部８６は、他方の係止部８７の他方の内側面部８８及び他方の外側面部９０と、互いの面方向を直交して形成されており、これによって、一方の係止部８２及び他方の係止部８７は、互いに直交する一方の天井下地材６０Ａ及び他方の天井下地材６０Ｂに係止自在に形成されている。
【００８２】
一方の係止部８２及び他方の係止部８７は、接続部分Ｊからそれぞれ所定間隔Ｋ１，Ｋ２（Ｋ１＞Ｋ２）を有して一方の天井下地材６０Ａ及び他方の天井下地材６０Ｂに係止自在に備えている。そのため、接続部分側取付具７８は、一方の天井下地材６０Ａ及び他方の天井下地材６０Ｂのどちらに対しても平行も直交もしない向きに、一方の天井下地材６０Ａと他方の天井下地材６０Ｂとの間に架設される構成となっている。
【００８３】
また、一方の係止部８２を一方の天井下地材６０Ａ又は他方の天井下地材６０Ｂに係止した際、一方の天井下地材６０Ａ又は他方の天井下地材６０Ｂの長手方向（図中、Ｙ方向又はＺ方向）に沿った一方の係止部８２の寸法を、寸法Ｋ３とする。
【００８４】
同様に、他方の係止部８７を一方の天井下地材６０Ａ又は他方の天井下地材６０Ｂに係止した際、一方の天井下地材６０Ａ又は他方の天井下地材６０Ｂの長手方向（図中、Ｙ方向又はＺ方向）に沿った他方の係止部８７の寸法を、寸法Ｋ４とする。
【００８５】
ここで、間隔Ｋ１は、間隔Ｋ２と寸法Ｋ４を合わせた大きさよりも大きく形成されており（Ｋ１＞Ｋ２＋Ｋ４）、所定の接続部分Ｊを中心に隣接する４つの正方形組６１の一方の天井下地材６０Ａ及び他方の天井下地材６０Ｂの所定の接続部分Ｊ側にそれぞれ複数の接続部分側取付具７８を配設した場合、一方の天井下地材６０Ａ又は他方の天井下地材６０Ｂの所定の接続部分Ｊ側に係止される複数の接続部分側取付具７８の一方の係止部８２と他方の係止部８７とが、一方の天井下地材６０Ａ又は他方の天井下地材６０Ｂの長手方向（Ｙ方向又はＺ方向）に並設されて、互いに重なり合わない構成となっている。
【００８６】
一方の係止部８２の一方の内側面部８４には、第１の固定用螺子孔９１が形成されており、この第１の固定用螺子孔９１に第１の螺子部材９２を第１のスプリングワッシャ９２Ａを介して螺合させて、第１の螺子部材９２の先端部分と一方の外側面部８６の内面とで、一対の上側突条６６，６６を水平方向に挟持することによって、一方の固定部７９が一方の天井下地材６０Ａに固定される構造としている。
【００８７】
また、一方の係止部８２の一方の外側面部８６には、第２の固定用螺子孔９３が形成されており、この第２の固定用螺子孔９３に第２の螺子部材９４を第２のスプリングワッシャ９４Ａを介して螺合させて、第２の螺子部材９４の先端部分と一方の内側面部８４の内面とで、一対の上側突条６６,６６を水平方向に挟持することによって、一方の固定部７９が一方の天井下地材６０Ａに固定される構造としている。
【００８８】
同様に、他方の係止部８７の他方の内側面部８８にも、第３の固定用螺子孔９５が形成されており、この第３の固定用螺子孔９５に第３の螺子部材９６を第３のスプリングワッシャ９６Ａを介して螺合させて、第３の螺子部材９６の先端部分と他方の外側面部９０の内面とで、一対の上側突条６６，６６を水平方向に挟持することによって、他方の固定部８０が他方の天井下地材６０Ｂに固定される構造としている。
【００８９】
また、他方の係止部８７の他方の外側面部９０には、第４の固定用螺子孔９７が形成されており、この第４の固定用螺子孔９７に第４の螺子部材９８を第４のスプリングワッシャ９８Ａを介して螺合させて、第４の螺子部材９８の先端部分と他方の内側面部８８の内面とで、一対の上側突条６６,６６を水平方向に挟持することによって、他方の固定部８０が他方の天井下地材６０Ｂに固定される構造としている。
【００９０】
前記押さえ部８１は、接続部分側取付具本体８３の略中央部分を、下向き凸状に折り曲げ形成したものであり、この押さえ部８１の下面は天井材６２の上面と略平行に形成されたものである。
【００９１】
さらに、前記押さえ部８１の略中央部分には、第５の固定用螺子孔９９が形成されており、この第５の固定用螺子孔９９に野縁用連結部材５１の雄螺子部５３或いは第５の螺子部材１００を上方から第５のスプリングワッシャ１００Ａを介して螺合させて、野縁用連結部材５１の雄螺子部５３或いは第５の螺子部材１００の先端部分と天井下地材６０の横片部６５とで、天井材６２を上下方向に挟持することによって、押さえ部８１が天井材６２を上方から押える構造としている。
【００９２】
また、第１の係止部８２と押さえ部８１との間、そして第２の係止部８７と押さえ部８１との間には、押さえ部８１からそれぞれ第１の係止部８２及び第２の係止部８７に向けて上り階段状に形成された第１の段差部１０１及び第２の段差部１０２が形成されている。
【００９３】
前記第１の段差部１０１は、押さえ部８１の一端を上向きに折り曲げて形成した第１の立壁部１０３と、第１の立壁部１０３の上端から一方の内側面部８４にかけて水平方向に延設して形成されて、スプリンクラーヘッド等の消化機器２００を備えた横杆部材２０１を取付金具２０２を介して取り付け可能な溝鋼２０３が載置可能な第１の平面部１０４とを備えている。
【００９４】
前記第２の段差部１０２は、押さえ部８１の他端を上向きに折り曲げて形成した第２の立壁部１０５と、第２の立壁部１０５の上端から他方の内側面部８８にかけて水平方向に延設して形成されて、溝鋼２０３が載置可能な第２の平面部１０６とを備えている。
【００９５】
ここで、第１の段差部１０１における第１の立壁部１０３と第１の平面部１０４によって囲まれた第１の下部スペース１０７と第２の段差部１０２における第２の立壁部１０５と第２の平面部１０６によって囲まれた第２の下部スペース１０８はともに、設備プレート６３の凸部７０を配置可能に備えており、第１の段差部１０１及び第２の段差部１０２のそれぞれの第１の下部スペース１０７及び第２の下部スペース１０８に配置された凸部７０の上部に、第１の平面部１０４及び第２の平面部１０６の下部が対向して、当接支持される構造となっている。
【００９６】
そして、第１の平面部１０４には、螺子やリベット等の第１の固定手段１０９により、溝鋼２０３と第１の平面部１０４とを固定するための第１の固定用貫通部１１０を備えているとともに、第２の平面部１０６にも、螺子やリベット等の第２の固定手段１１１により、溝鋼２０３と第２の平面部１０６とを固定するための第２の固定用貫通部１１２を備えている。
【００９７】
以上のように、吊りボルト１９にハンガー５９を介して吊下げ保持されている天井下地材６０が、地震などの揺れによって、ハンガー５９から離脱した際も、野縁用連結部材５１による吊りボルト用の落下防止金具と接続部分側取付具７８の連結により、天井下地材６０は吊りボルト１９に吊り下げ保持されることとなり、天井下地材６０の落下を防止することができる。
【実施例５】
【００９８】
続いて図２４〜図２８は、本発明の第５実施例を示すものである。同図において、図１〜図２３と同一部分には同一符号を付し、その共通する部分の詳細な説明は省略する。本実施例の吊りボルト用の落下防止金具では、狭着部１８の内側に螺子溝部１２０を備えるとともに、Ａ支持片１及びＢ支持片３の中央部分には、それぞれボルト１２１が挿通可能な貫通部１２２を備えている。また、Ａ支持片１の挟持部１８側とは反対側の先端側に係止部１２３を備えるとともに、Ｂ支持片３の挟持部１８側とは反対側の先端側には係止部が係止可能な係止受部１２４を備えている。
【００９９】
以上のように、本実施例の吊りボルト用の落下防止金具は、螺子溝部１２０を備えたことにより、狭着部１８を吊りボルト１９に狭着した場合に、狭着部１８の螺子溝部１２０と吊りボルト１９の螺子溝とが係合して、吊りボルト用の落下防止金具が吊りボルト１９の軸方向に滑ることを防止して、吊りボルト用の落下防止金具が吊りボルト１９に安定して取り付けられる。
【０１００】
また、吊りボルト１９が狭着部１８内で締め付けられた状態で、Ａ支持片１とＢ支持片３の各貫通部１２２に挿通したボルト１２１にナット（図示せず）を螺着することで、吊りボルト１９への狭着部１８の狭着状態が保持され、吊りボルト１９の吊りボルト用の落下防止金具への装着が確実となる。また、連結部材１３の環状部１３Ｂをボルト１２１に係止させれば、連結部材１３を吊りボルト用の落下防止金具に連結することができる。
【０１０１】
さらに、Ａ支持片１の係止部１２３をＢ支持片３の係止受部１２４に係止させることで、吊りボルト１９への狭着部１８の狭着状態が保持され、吊りボルト１９の吊りボルト用の落下防止金具への装着がさらに確実となる。
【０１０２】
以上のように本実施例は請求項５に対応しており、狭着部１８の内側面に、吊りボルト１９に螺合可能な螺子溝として螺子溝部１２０を備えたことにより、狭着部の内側面が雄螺子部材に螺合するので、雄螺子部材に狭着された狭着部が雄螺子部材の長手方向に沿って滑ることを防ぎ、落下防止金具の設置が安定する。
【０１０３】
また、本実施例は請求項６に対応しており、Ａ支持片１とＢ支持片３とを連結して、突起部２が引っ掛け穴４に係止した状態で保持する保持手段としてボルト１２１を備え、ボルト１２１に第３の連結部材１３の一方を取り付けて、前記第３の連結部材１３の他方に各種機器１６,１７を連結したことを特徴とする。
【０１０４】
この場合、ボルト１２１によって、突起部２と引っ掛け穴４との係止状態が保持されるので、狭着部１８の吊りボルト１９への緊締が安定し、落下防止金具の設置がさらに安定する。ボルト１２１に第３の連結部材１３を取り付けることで、第１の連結部材１３及び第２の連結部材１３とともに複数の各種機器１６,１７や天井下地材としての野縁部材３３,３４等の落下を防止することができる。
【実施例６】
【０１０５】
続いて図２９は、本発明の第６実施例を示すものである。同図において、図１〜図２８と同一部分には同一符号を付し、その共通する部分の詳細な説明は省略する。本実施例では、吊りボルト用の落下防止金具を吊りボルト１９ではなく、コンクリート２１の任意の位置に埋設されたインサート金具１３０に螺着されたボルト１３１に装着した構造とする。
【０１０６】
このように、コンクリート２１の任意の位置にインサート金具１３０を設置して、そのインサート金具１３０にボルト１３１を螺着すれば、インサート金具１３０とボルト１３１を介して吊りボルト用の落下防止金具をコンクリート２１の任意の位置に設置することが可能となる。
【０１０７】
以上のように本実施例は請求項３に対応しており、前記雄螺子部材を、天井スラブとしてのコンクリート２１に埋設されたインサート金物１３０に螺着されたボルト１３１としたことにより、コンクリート２１の任意の位置に落下防止金具を設置することができる。
【０１０８】
本発明は上記各実施例に限定されるものではなく、本発明の要旨の範囲内において種々の変形実施が可能である。
【符号の説明】
【０１０９】
１  Ａ支持片
２  突起物
３  Ｂ支持片
４  引っ掛け穴
５  ワイヤー引っ掛け部
７  ワイヤー保護用折り曲げ部
９  ワイヤー係合用穴
１０  丸孔
１３  連結部材
１５  抜け止め部材
１８  狭着部
１９  吊りボルト
３０  第１のナット
１２０  螺子溝部
１３０  インサート金具
１３１  ボルト
【図１】
0005588488.tif 000002
【図２】
0005588488.tif 000003
【図３】
0005588488.tif 000004
【図４】
0005588488.tif 000005
【図５】
0005588488.tif 000006
【図６】
0005588488.tif 000007
【図７】
0005588488.tif 000008
【図８】
0005588488.tif 000009
【図９】
0005588488.tif 000010
【図１０】
0005588488.tif 000011
【図１１】
0005588488.tif 000012
【図１２】
0005588488.tif 000013
【図１３】
0005588488.tif 000014
【図１４】
0005588488.tif 000015
【図１５】
0005588488.tif 000016
【図１６】
0005588488.tif 000017
【図１７】
0005588488.tif 000018
【図１８】
0005588488.tif 000019
【図１９】
0005588488.tif 000020
【図２０】
0005588488.tif 000021
【図２１】
0005588488.tif 000022
【図２２】
0005588488.tif 000023
【図２３】
0005588488.tif 000024
【図２４】
0005588488.tif 000025
【図２５】
0005588488.tif 000026
【図２６】
0005588488.tif 000027
【図２７】
0005588488.tif 000028
【図２８】
0005588488.tif 000029
【図２９】
0005588488.tif 000030
【図３０】
0005588488.tif 000031